(57)【要約】【課題】折板屋根材の内側にグラスウールを密着させて固定し断熱性及び施工性に優れた折板屋根材の断熱構造を提供する。【解決手段】複数の山部２，３，４が長手方向に沿って形成され各山部の頂部に形成されたはぜ部２ｃ，３ｃ，４ｃが梁に立設されたタイトフレームに固定される折板屋根材１の内側に断熱性を有し折板屋根材１の形状に沿って変形可能なグラスウール１１を設け、グラスウール１１を合成樹脂部材からなるフィルム１８で覆いかつこのフィルム１８を係止部材１７によりはぜ部２ｃ，３ｃ，４ｃに固定して、折板屋根材１の内側にグラスウール１１を密着固定する構造としたものである。【選択図】図８
2008156969.tif 000002
【特許請求の範囲】
【請求項１】
複数の山部が長手方向に沿って形成され各山部の頂部に形成されたはぜ部が梁に立設されたタイトフレームに固定される折板屋根材の断熱構造であって、
前記折板屋根材の内側に断熱性を有し前記折板屋根材の形状に沿って変形可能なグラスウールを設け、
前記グラスウールを合成樹脂部材からなるフィルムで覆いかつ該フィルムを係止部材により前記はぜ部に固定することを特徴とする折板屋根材の断熱構造。
【請求項２】
前記グラスウールはポリエチレンフィルムで形成され少なくとも前記はぜ部と対応する両側部に前記係止部材により前記はぜ部に固定される耳部が形成された収納袋に収容されて略マット状をなしていることを特徴とする、請求項１に記載の折板屋根材の断熱構造。
【請求項３】
前記係止部材はばね性を有する薄板からなり、側面から見て頂部が丸みを帯びた略Ｖ字形状をなし両側部に複数の係止爪が一体に形成され、前記頂部により前記フィルムの前記はぜ部と対応する部位又は側部を前記はぜ部内に押し込んで固定しかつ前記係止爪により前記はぜ部内に逸脱不能に係止されることを特徴とする、請求項１又は請求項２に記載の折板屋根材の断熱構造。
【発明の詳細な説明】
【技術分野】
【０００１】
本発明は、折板屋根材の内側にグラスウールを密着固定して断熱する折板屋根材の断熱構造に関する。
【背景技術】
【０００２】
折板（折版）屋根材は、低コストで大きな屋根面積を葺くことができるために郊外の大型店舗等の建造物に多く採用されている。この折板屋根材は、金属板により形成されているために内側裏面に結露防止、室内で発生する音の反射防止、更には夏の直射日光による室内の高温、冬の寒さによる室内の低温に対処するべく断熱効果を得るために断熱材を取り付ける必要がある。
【０００３】
折板屋根材の内側（裏面）に断熱材を取り付ける方法として、帯状の支持部材で折板の裏面に接着している断熱材を室内側から支持する構造（例えば、特許文献１参照）、両端にはぜ部を有する金属折板と金属折板の屋内側に裏張りした断熱材と金属折板のはぜ部を屋内側に露出させないガスケット部材とを備えて断熱折板屋根材を形成した構造（例えば、特許文献２参照）、或いは折版屋根板の裏面の凹凸形状に合致する凹凸表面を持つ形の断熱ボードを予め成形加工し、この固形状の成形品たる断熱ボードの凹凸表面側を折版屋根板の裏面に張設した構造（例えば、特許文献３参照）等種々のものが提案されている。
【特許文献１】特開平６−２９４１８３号公報（３−４頁、図１）
【特許文献２】特開２０００−１４５０４３号公報（３−５頁、図１）
【特許文献３】実用新案登録第２５４６５７８号公報（４頁、第１図）
【発明の開示】
【発明が解決しようとする課題】
【０００４】
しかしながら、折板屋根材の内側に断熱材を裏張り（接着）する構造においては熱や結露等による経年変化に起因して剥がれる可能性がある。また、帯状の支持部材で折板の裏面に接着している断熱材を室内側から支持する構造や、折版屋根板の裏面の凹凸形状に合致する凹凸表面を持つ形の断熱ボードを予め成形加工し、この断熱ボードの凹凸表面側を折版屋根板の裏面に張設する構造は、組付性が悪く手間が掛かると共にコストが高くなる等の問題がある。
【０００５】
本発明の目的は、折板屋根材の内側にグラスウールを密着させて固定し断熱性及び施工性に優れた折板屋根材の断熱構造を提供することにある。
【課題を解決するための手段】
【０００６】
上記目的を達成するために本発明に係る折板屋根材の断熱構造は、
複数の山部が長手方向に沿って形成され各山部の頂部に形成されたはぜ部が梁に立設されたタイトフレームに固定される折板屋根材の断熱構造であって、
前記折板屋根材の内側に断熱性を有し前記折板屋根材の形状に沿って変形可能なグラスウールを設け、
前記グラスウールを合成樹脂部材からなるフィルムで覆いかつ該フィルムを係止部材により前記はぜ部に固定することを特徴としている。
【０００７】
折板屋根材の内側（裏側）に折板屋根材の形状に沿って断熱材としてのグラスウールを密接させて配置して合成樹脂部材からなるフィルムで覆い、このフィルムを係止部材により折板屋根材のはぜ部に固定する。この場合、折板屋根材を天地逆に置いて内側を上に向け、山部となる部分に折板屋根材の形状に応じて変形するグラスウールを載置してフィルムで覆い、このフィルムを係止部材により折板屋根材のはぜ部に固定することで作業性の向上が図られる。このようにして、折板屋根材の内側に断熱性に優れたグラスウールを密着させて取り付ける。断熱材としてグラスウールを使用しかつフィルムで覆ってはぜ部に固定することで軽量化が図られる。また、グラスウールは、折板屋根材を成形した後取り付けることができるために搬送性が向上すると共に施工現場での作業性（施工性）が向上する。
【０００８】
また、本発明の請求項２に記載の折板屋根材の断熱構造は、請求項１に記載の折板屋根材の断熱構造において、前記グラスウールはポリエチレンフィルムで形成され少なくとも前記はぜ部と対応する両側部に前記係止部材により前記はぜ部に固定される耳部が形成された収納袋に収容されて略マット状をなしていることを特徴としている。
【０００９】
グラスウールは、ポリエチレンフィルムで形成された収納袋に収納されて略マット状をなしていることで取り扱いが容易となり、かつ収納袋の両側部に形成された耳部を係止部材により折板屋根材のはぜ部に固定することで折板屋根材への取り付け作業が容易となる。
【００１０】
また、本発明の請求項３に記載の折板屋根材の断熱構造は、請求項１又は請求項２に記載の折板屋根材の断熱構造において、前記係止部材はばね性を有する薄板からなり、側面から見て頂部が丸みを帯びた略Ｖ字形状をなし両側部に複数の係止爪が一体に形成され、前記頂部により前記フィルムの前記はぜ部と対応する部位又は側部を前記はぜ部内に押し込んで固定しかつ前記係止爪により前記はぜ部内に逸脱不能に係止されることを特徴としている。
【００１１】
ばね性を有する薄板性の係止部材の丸みを帯びた頂部をフィルムのはぜ部と対応する部位又は側部に当て、ばね性に抗して窄めながらはぜ部内に押し込む。これにより、はぜ部に係止部材とフィルムを容易に押し込むことができる。はぜ部に押し込まれた係止部材は、ばね性により拡開し係止爪によりはぜ部の内面に係止される。係止部材は頂部が丸みを帯びていることで、フィルムを破損することなくはぜ部に押し込むことができる。これにより、フィルム又は収納袋の側部をはぜ部に簡単にかつ逸脱不能に固定することができる。
【発明の効果】
【００１２】
本発明によると、断熱材としてグラスウールを使用しかつ折板屋根材の内側（裏側）にその形状に沿って密着させて取り付けることができるために小屋根（屋根裏）の断熱効果の大幅な向上が図られると共に折板屋根材の軽量化及び低コスト化が図られる。また、係止部材により折板屋根材の成形後内側にグラスウールを固定することができるために搬送性が向上すると共に施工現場での作業性（施工性）が向上する。また、折板屋根材の内側にグラスウールを密着させて取り付けることで見栄えが良い。
【００１３】
また、グラスウールは、ポリエチレンフィルムで形成された収納袋に収納されて略マット状をなしていることで取り扱いが容易となり、かつ収納袋の両側部に形成された耳部を係止部材により折板屋根材のはぜ部に固定することで折板屋根材への取り付け作業が容易となる。
【００１４】
また、頂部が丸みを帯びた略Ｖ字形状をなし両側部に複数の係止爪が一体に形成されたばね性を有する薄板からなる係止部材を使用し、グラスウールを覆うフィルム又は収納するフィルム製の収納袋の側部をはぜ部に押し込むことで、フィルムを破損することなくグラスウールを折板屋根材の内側に逸脱不能にかつ容易に固定することができ、作業性の向上が図られる。
【発明を実施するための最良の形態】
【００１５】
以下、本発明の実施形態に係る折板屋根材の断熱構造について図面に基づいて説明する。図１に示すように折板屋根材１は、正面（端面）から見て幅方向に複数例えば３つの山部２，３，４を有し、この山部が長手方向に沿って全長に亘り形成されている。中央の山部３は、左右両側に対称に傾斜する傾斜面３ａ，３ｂを有し、左右両側の山部２，４は、それぞれ外側半分が切り欠かれて内側半分の傾斜面２ｂ，４ａを有する形状とされ、各頂部には全長に亘りはぜ部２ｃ，３ｃ，４ｃが形成されている。
【００１６】
この折板屋根材１は、左側の山部２の中心から右側の山部４の中心まで所定の幅（例えば、６０cm程度）を有し、所定の長さ（例えば、１２ｍ程度）を有する長尺ものとされている。尚、左右の山部２，４は、それぞれ一側半分が欠けた半山部の形状をなしているが山部として説明する。
【００１７】
中央の山部３のはぜ部３ｃは、真下に僅かな幅のスリット状の開口部３ｄを有する略Ｃ字形の円筒形状をなし、両側の山部２，４のはぜ部２ｃ，４ｃは、それぞれ円筒の外側かつ下側部を切り取った略１／４程度開口する開口部２ｄ，４ｄを有する形状とされている。そして、左側のはぜ部２ｃは、中央のはぜ部３ｃよりも僅かに小さくかつ幅狭に、右側のはぜ部４ｃは、中央のはぜ部３ｃよりも僅かに大きくかつ幅広に形成されている。これは、折板屋根材１を例えば図１の右側から順次葺く場合、先に葺いた折板屋根材１の左側の小さいはぜ部２ｃの外側に次に葺く折板屋根材１の右側の大きいはぜ部４ｃを重ねて包み込むためである。また、山部２，３，４の間の谷部５，６は、これらの山部の傾斜面２ｂと３ａ、３ｂと４ａの下端部と僅かな段差５ａ，６ａをなしかつ平坦な平面をなしている。
【００１８】
この折板屋根材１は、耐銹性に優れた例えばガルバリウム鋼板で形成されている。そして、折板屋根材１の内側面（裏面）にははぜ部２ｃ，３ｃ，４ｃ及びこれらの近傍を除く略全面に亘り結露防止用の断熱材８が裏張りされている。この断熱材８としては例えばポリエチレンフォームがある。
【００１９】
図２に示すように断熱材としてのグラスウール１１は、合成樹脂フィルム例えばポリエチレンフィルムで形成された収納袋１２に収納されて略長方体をなすマット状に形成され、グラスウールマット１５とされている。収納袋１２は、下面を形成するポリエチレンフィルム１３と前後左右の側面及び上面を形成するポリエチレンフィルム１４とが張り合わされて袋状に形成されており、下面を形成するポリエチレンフィルム１３は防湿性を有している。また、側面及び上面を形成するポリエチレンフィルム１４の上面１４ａには通気用の小孔１４ｂが多数形成されている。そして、下面を形成するポリエチレンフィルム１３は、全周に亘り周縁部が側方に張り出して耳部とされている。
【００２０】
グラスウールマット１５は、長さが図１に示す折板屋根材１の長さと略同じ長さとされ、横幅が折板屋根材１の幅の略１／２程度とされている。そして、下面を形成するポリエチレンフィルム１３の長手方向に沿う左右両側に張り出した耳部１５ａ，１５ｂが折板屋根材１のはぜ部２ｃ，３ｃ，４ｃに固定されるようになっている。尚、グラスウールマット１５は、仕様に応じて適宜の厚さ（例えば、５０ｍｍ〜１００ｍｍ程度）に設定すれば良い。
【００２１】
図３及び図４に示すように係止部材１７は、折板屋根材１の内側にグラスウールマット１５を取り付けて固定するためのもので、側面から見て略長方形状をなし、正面（端面）から見て頂部１７ａが丸みを帯びた略逆Ｖ字形状をなしており、両側部１７ｂには係止爪１７ｃ，１７ｄが交互に複数形成されている。係止部材１７の高さは、図１に示すはぜ部２ｃ，３ｃ，４ｃの中も最も高い（深い）はぜ部、例えばはぜ部４ｃ内に挿入かつ内側面に係止爪１７ｃ又は１７ｄが係合可能な高さとされ、両側部１７ｂの開口端部の幅Ｄは、図１に示すはぜ部２ｃ，３ｃ，４ｃの中も最も幅広いはぜ部、例えばはぜ部４ｃの幅ｄよりも僅かに広く設定されている。また、係止部材１７は適宜の長さ（例えば、５０ｍｍ程度）とされている。
【００２２】
これらの係止爪１７ｃ，１７ｄは、側部１７ｂを頂部１７ａ近傍から下端に向けて切り欠いて形成されており、係止爪１７ｃは、側部１７ｂと同じ長さとされている。また、係止爪１７ｄは、係止爪１７ｃよりも短く略半分程度の長さとされており、かつ係止爪１７ｃよりも外側に僅かに開いて形成されている。そして、係止部材１７は、はぜ部２ｃ，３ｃ，４ｃ内に挿入されたときに係止爪１７ｂ，１７ｄの何れか一方又は両方がこれらのはぜ部２ｃ，３ｃ，４ｃの内側面に圧接して係止可能とされている。この係止部材１７は、ばね性を有する薄板のばね鋼により形成されている。尚、係止部材１７は、ばね鋼に限るものではなく、他の例えば弾力性に富む薄いプラスチック等の合成樹脂部材により形成しても良い。
【００２３】
係止部材１７を薄板のばね鋼で形成して変形可能とし、高さを図１に示すはぜ部２ｃ，３ｃ，４ｃの中も最も高い（深い）はぜ部４ｃ内に挿入可能とし、両側部１７ｂの開口端部の幅Ｄをはぜ部２ｃ，３ｃ，４ｃの中も最も幅広いはぜ部４ｃの幅よりも僅かに広く形成することで、グラスウールマット１５の耳部１５ａ，１５ｂを他のはぜ部２ｃ，３ｃに固定する場合に共用することが可能である。
【００２４】
以下に折板屋根材１の内側（裏面）にグラスウールマット１５を取り付ける場合について説明する。
【００２５】
先ず、グラスウールマット１５を折板屋根材１の内側に取り付け易くするために図１に示す折板屋根材１を裏返して内側を上に、外側を下に向けて天地を逆にする。次に、山をなしている左右２つの谷部５，６上に夫々グラスウールマット１５，１５を、上面を形成するポリエチレンフィルム１４の上面１４ａが断熱材８に当接するようにして谷部５の左右両側の傾斜面３ａ，２ｂ、谷部６の左右両側の傾斜面４ａ，３ｂ上に載置する（図８参照）。グラスウール１１は変形自在であり、従って、グラスウールマット１５は折板屋根材１の形状に沿って変形して載置される。
【００２６】
そして、中央のはぜ部３ｃの位置において図５に示すように右側のグラスウールマット１５の左側の耳部１５ａと左側のグラスウールマット１５の右側の耳部１５ｂを重ね、これらの耳部１５ａ，１５ｂの重なり部分に上方から係止部材１７の頂部１７ａを押し付けて開口部３ｄからはぜ部３ｃに挿入する。このとき、係止部材１７の両側部１７ｂの開口端近傍を挟んで矢印で示すようにばね性に抗して内側に狭めることで、開口部３ｄから容易に挿入することが可能となる。また、係止部材１７の頂部１７ａが丸みを帯びていることでフィルム状の耳部１５ａ，１５ｂを破損することなくはぜ部３ｃに挿入することができる。
【００２７】
係止部材１７は、はぜ部３ｃ内に挿入された後ばね性により拡開し、両側部１７ｂの各係止爪１７ｃがはぜ部３ｃの内側又は開口部３ｄの内側に係止されて逸脱不能とされる。そして、耳部１５ａ，１５ｂが係止爪１７ｃによりはぜ部３ｃの開口部近傍に押し付けられて固定される。また、耳部１５ａと１５ｂの重なり部分は、丸みを帯びた頂部１７ａによりはぜ部３ｃの内側面に押し付けられる。これにより、左右のグラスウールマット１５，１５の各一側がはぜ部３ｃに固定される。
【００２８】
次に、図６に示すように左側のグラスウールマット１５を折板屋根材１に押付けながら左側の耳部１５ａをはぜ部４ｃの位置に合わせ、前述と同様にして係止部材１７の両側部１７ｂを矢印で示すように窄めながら頂部１７ａを耳部１５ａに当てて開口部４ｄからはぜ部４ｃ内に挿入する。
【００２９】
係止部材１７は、はぜ部４ｃ内に挿入された後ばね性により拡開し、係止爪１７ｃ，１７ｄの何れか一方又は両方がはぜ部４ｃの内側に圧接又は係止されて逸脱不能とされる。そして、耳部１５ａが係止爪１７ｃによりはぜ部４ｃの開口部近傍に押し付けられて固定される。また、耳部１５ａは、丸みを帯びた頂部１７ａによりはぜ部４ｃの内側面に押し付けられて固定される。これにより、左側のグラスウールマット１５が折板屋根材１の形状に応じて内側に密着固定される。このとき、耳部１５ａの端部がはぜ部４ｃの開口部４ｄよりも内側例えば係止部材の頂部１７ａ近傍位置に位置するように耳部１５ａの端部を処理することにより、後述するように折板屋根材１を葺く際に隣の折板屋根材１のはぜ部２ｃの外側にはぜ部４ｃを重ねたときに当該はぜ部４ｃの下端部分から雨水が進入することを有効に防止することができると共に見栄えが良い。
【００３０】
同様にして図７に示すように右側のグラスウールマット１５を折板屋根材１に押付けながら右側の耳部１５ｂをはぜ部２ｃの位置に合わせ、前述と同様にして係止部材１７の両側部１７ｂを矢印で示すように窄めながら耳部１５ｂに当てて開口部２ｄからはぜ部２ｃ内に挿入する。はぜ部２ｃがはぜ部４ｃに比べて小さくかつ浅く形成されていても、係止部材１７ははぜ部２ｃに挿入可能であり、係止爪１７ｃ，１７ｄの何れか一方又は両方がはぜ部２ｃの内側面に圧接されて係止され、逸脱不能とされる。
【００３１】
そして、耳部１５ｂが係止爪１７ｃによりはぜ部２ｃの開口部２ｄ近傍に押し付けられて固定される。また、耳部１５ｂは、丸みを帯びた頂部１７ａによりはぜ部２ｃの内側面に押し付けられて固定される。これにより、右側のグラスウールマット１５が折板屋根材１の形状に応じて変形して内側に密着固定される。はぜ部２ｃは、後述するように隣に葺く折板屋根材１のはぜ部４ｃの内側に包み込まれるため耳部１５ｂがはぜ部２ｃの開口部２ｄから多少延出していても特に問題ない。
【００３２】
このようにして、図８に示すように折板屋根材１の内側にグラスウールマット１５を密着させて固定する。これにより、折板屋根材１を成形加工した後グラスウールマット１５を容易に取り付けることができる。従って、施工現場における断熱材の取り付け作業を無くすことができ作業性の向上が図られる。
【００３３】
また、グラスウールマット１５は、折板屋根材１を重ねたときにその重みで通気用の多数の小孔１４ａから内部の空気が押し出されて薄く潰されて容積が小さくなり、保管や搬送が容易である。そして、重みが外されると通気用の小孔１４ａから空気が入り込んで膨らみ断熱効果が得られる。更にグラスウールマット１５は、グラスウール１１をポリエチレンフィルム１３で形成された収納袋１２に収納して形成されていることで折板屋根材１の軽量化が図られる。
【００３４】
上述したように内側にグラスウールマット１５が取り付けられた折板屋根材１は、図９に示すように梁３１のはぜ部２ｃ，３ｃ，４ｃと対応した位置に固定された各タイトフレーム３２にはぜ部２ｃ，３ｃ，４ｃが固定される。そして、例えば折板屋根材１の右側のはぜ部４ｃを先に葺いた折板屋根材１の左側のはぜ部２ｃの上に重ねて包み込む。このようにして順次折板屋根材１を葺く。そして、最後にはぜ部２ｃ，３ｃ，４ｃを全長に亘りカシメてタイトフレーム３２に固定すると共に重ね合わせたはぜ部２ｃと４ｃを固定する。
【００３５】
このように折板屋根材１の内側（裏面）にグラスウールマット１５を密着させて取り付けることにより、大型店舗等において天井との間の空間部(小屋根)を極めて良好に断熱することが可能となり、室内の冷・暖房効果を向上させることができる。また、倉庫等の天井を取り付けない場合でも冷暖房効果を向上させることができる。
【００３６】
図１０は、本発明に係る折板屋根材の断熱構造の変形例を示し、図５に示した場合と同様に裏返した折板屋根材１の山をなしている左右２つの谷部５，６上に夫々グラスウール１１，１１を載置する。次に、折板屋根材１と略同じ長さで当該折板屋根材１よりも幅広の防湿性を有するポリエチレンフィルム１８で左右のグラスウール１１，１１を一体に覆い、対向する左右のグラスウール１１，１１の中央部の上方から前述と同様にして係止部材１７の頂部１７ａを押し当ててポリエチレンフィルム１８の中央部１８ａを開口部３ｄからはぜ部３ｃに挿入して固定する。
【００３７】
次に、グラスウール１１，１１を折板屋根材に押付けながらポリエチレンフィルム１８の図示しない左右の端部（耳部）を夫々係止部材１７によりはぜ部４ｃ，２ｃに固定する。このようにして、折板屋根材１の内側にグラスウール１１を密着させて固定する。
【００３８】
図１１は、本発明に係る折板屋根材の断熱構造の変形例を示し、折板屋根材２１は、左右両側の２つの山部２２，２３とこれらの山部２２と山部２３とで挟まれた１つの谷部２４からなる。左右両側の山部２２，２３は、それぞれ外側半分が切り欠かれて内側半分の傾斜面２２ｂ，２３ａを有する形状とされ、各頂部には全長に亘りはぜ部２２ｃ，２３ｃが形成されている。そして、折板屋根材２１の内側（裏側）に結露防止用の断熱材８が裏張りされている。
【００３９】
そして、この折板屋根材２１に上述した場合と同様にして図２に示すグラスウールマット１５を取り付け、左右の耳部１５ａ，１５ｂを左右のはぜ部２２ｃ，２３ｃに係止部材１７により固定したものである。尚、この場合も図９に示したように折板屋根材２１にグラスウール１１を直接載置してポリエチレンフィルム１８で覆い、当該ポリエチレンフィルム１８の図示しない両側部（耳部）を係止部材１７によりはぜ部２２ｃ，２３ｃに固定するようにしても良い。
【００４０】
また、グラスウール１１やグラスウールマット１５は、使用する折板屋根材の長さ、幅、山数等に応じたものを使用すれば良く、従って、どのような寸法形状の折板屋根材にも容易に適用することができる。
【００４１】
また、上記実施形態では図１に示す折板屋根材１の左右両側のはぜ部２ｃ，４ｃにグラスウールマット１５の耳部１５ａ，１５ｂを固定する場合、図１０に示すポリエチレンフィルム１８の両側部を左右両側のはぜ部２ｃ，４ｃに固定する場合、図１１に示す折板屋根材２１の左右のはぜ部２２ｃ，２３ｃにグラスウールマット１５の耳部１５ａ，１５ｂを固定する場合に係止部材１７を使用したが、これに限るものではなく他の部材、例えば両面テープ等により固定するようにしても良い。
【図面の簡単な説明】
【００４２】
【図１】本発明に係る折板屋根材の正面図である。
【図２】図１に示した折板屋根材の内側に取り付ける断熱材としてのグラスウールマットの一例を示す断面図である。
【図３】図１に示した折板屋根材の内側に図２に示したグラスウールマットを固定するための係止部材の側面図である。
【図４】図３に示した係止部材の正面図である。
【図５】図１に示した折板屋根材を内側を上にして中央のはぜ部に図２に示したグラスウールマットの耳部を図３に示した係止部材で固定する場合の説明図である。
【図６】図１に示した折板屋根材を内側を上にして左側のはぜ部に図２に示したグラスウールマットの耳部を図３に示した係止部材で固定する場合の説明図である。
【図７】図１に示した折板屋根材を内側を上にして右側のはぜ部に図２に示したグラスウールマットの耳部を図３に示した係止部材で固定する場合の説明図である。
【図８】図１に示した折板屋根材に図２に示したグラスウールマットを固定してグラスウールを上側にした状態の正面図である。
【図９】図８に示した折板屋根材の使用例の説明図である。
【図１０】本発明の折板屋根材の変形例を示す説明図である。
【図１１】本発明の折板屋根材の変形例を示す説明図である。
【符号の説明】
【００４３】
１    折板屋根材
２，３，４    山部
２ｂ，３ａ，３ｂ，４ａ    傾斜面
２ｃ，３ｃ，４ｃ    はぜ部
２ｄ，３ｄ，４ｄ    開口部
５，６    谷部
５ａ，６ａ    段差
８    断熱材
１１    グラスウール
１２    収納袋
１３，１４    ポリエチレンフィルム
１４ａ    上面
１４ｂ    小孔
１５    グラスウールマット
１５ａ，１５ｂ    耳部
１７    係止部材
１７ａ    頂部
１７ｂ    側部
１７ｃ，１７ｄ    係止爪
１８    ポリエチレンフィルム
１８ａ    中央部
２１    折板屋根材
２２，２３    山部
２２ｃ，２３ｃ    はぜ部
２２ｂ，２３ａ    傾斜面
２４    谷部
３１    梁
３２    タイトフレーム
Ｄ    係止部材の開口端部の幅
ｄ    はぜ部４ｃの開口部の幅
【図１】
2008156969.tif 000003
【図２】
2008156969.tif 000004
【図３】
2008156969.tif 000005
【図４】
2008156969.tif 000006
【図５】
2008156969.tif 000007
【図６】
2008156969.tif 000008
【図７】
2008156969.tif 000009
【図８】
2008156969.tif 000010
【図９】
2008156969.tif 000011
【図１０】
2008156969.tif 000012
【図１１】
2008156969.tif 000013
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
複数の山部が長手方向に沿って形成されかつ各山部の頂部にはぜ部が形成され、内側に断熱材が設けられ、前記はぜ部が梁に立設されたタイトフレームに固定される折板屋根材の断熱構造であって、
前記はぜ部は略円筒形状をなし、真下位置又は外側かつ下側略半分が切りかかれて開口する開口部が形成され、
前記断熱材は合成樹脂部フィルムで形成され少なくとも前記はぜ部と対応する両側部に前記はぜ部に固定される耳部が形成された収納袋にグラスウールが収納され前記折板屋根材の形状に沿って変形可能なグラスウールマットをなし、
前記はぜ部に前記開口部を通して挿入可能とされ、前記グラスウールマットの耳部と共に前記はぜ部に押し込まれて当該はぜ部の内側面に前記耳部を押し付けて固定すると共に前記はぜ部に逸脱不能に係止される係止部材により、前記折板屋根材の内側に前記グラスウールマットを密着させて固定することを特徴とする折板屋根材の断熱構造。
【請求項２】
前記係止部材はばね性を有する薄板からなり、側面から見て頂部が丸みを帯びた略Ｖ字形状をなし両側部に複数の係止爪が一体に形成され、前記頂部により前記グラスウールマットの耳部を前記はぜ部内に押し込んで固定しかつ前記係止爪により前記はぜ部内に逸脱不能に係止されることを特徴とする、請求項１に記載の折板屋根材の断熱構造。
【手続補正２】
【補正対象書類名】明細書
【補正対象項目名】０００６
【補正方法】変更
【補正の内容】
【０００６】
上記目的を達成するために本発明に係る折板屋根材の断熱構造は、
複数の山部が長手方向に沿って形成されかつ各山部の頂部にはぜ部が形成され、内側に断熱材が設けられ、前記はぜ部が梁に立設されたタイトフレームに固定される折板屋根材の断熱構造であって、
前記はぜ部は略円筒形状をなし、真下位置又は外側かつ下側略半分が切りかかれて開口する開口部が形成され、
前記断熱材は合成樹脂部フィルムで形成され少なくとも前記はぜ部と対応する両側部に前記はぜ部に固定される耳部が形成された収納袋にグラスウールが収納され前記折板屋根材の形状に沿って変形可能なグラスウールマットをなし、
前記はぜ部に前記開口部を通して挿入可能とされ、前記グラスウールマットの耳部と共に前記はぜ部に押し込まれて当該はぜ部の内側面に前記耳部を押し付けて固定すると共に前記はぜ部に逸脱不能に係止される係止部材により、前記折板屋根材の内側に前記グラスウールマットを密着させて固定することを特徴としている。
【手続補正３】
【補正対象書類名】明細書
【補正対象項目名】０００７
【補正方法】変更
【補正の内容】
【０００７】
折板屋根材の内側（裏側）に折板屋根材の形状に沿って断熱材としてのグラスウールマットを密接させて配置し、耳部を係止部材と共に前記はぜ部の開口部から押し込み、当該はぜ部の内側面に前記耳部を押し付けて固定すると共に前記係止部材を前記はぜ部に逸脱不能に係止して前記折板屋根材の内側に前記グラスウールマットを固定する。この場合、折板屋根材を天地逆に置いて内側を上に向け、山部となる部分に折板屋根材の形状に応じて変形するグラスウールマットを載置して耳部を係止部材により折板屋根材のはぜ部に固定することで作業性の向上が図られる。このようにして、折板屋根材の内側に断熱性に優れたグラスウールマットを密着させて取り付ける。断熱材として合成樹脂フィルムの収納袋に収納したグラスウールマットを使用してはぜ部に固定することで軽量化が図られる。また、グラスウールマットは、折板屋根材を成形した後取り付けることができるために搬送性が向上すると共に施工現場での作業性（施工性）が向上する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
グラスウールは、合成樹脂フィルムで形成された収納袋に収納されてマット状をなしていることで取り扱いが容易となり、かつ収納袋の両側部に形成された耳部を係止部材により折板屋根材のはぜ部に固定することで折板屋根材への取り付け作業が容易となる。
【手続補正６】
【補正対象書類名】明細書
【補正対象項目名】００１０
【補正方法】変更
【補正の内容】
【００１０】
また、本発明の請求項２に記載の折板屋根材の断熱構造は、請求項１に記載の折板屋根材の断熱構造において、前記係止部材はばね性を有する薄板からなり、側面から見て頂部が丸みを帯びた略Ｖ字形状をなし両側部に複数の係止爪が一体に形成され、前記頂部により前記グラスウールマットの耳部を前記はぜ部内に押し込んで固定しかつ前記係止爪により前記はぜ部内に逸脱不能に係止されることを特徴としている。
【手続補正７】
【補正対象書類名】明細書
【補正対象項目名】００１１
【補正方法】変更
【補正の内容】
【００１１】
ばね性を有する薄板性の係止部材の丸みを帯びた頂部をグラスウールマットのはぜ部と対応する耳部に当て、ばね性に抗して窄めながらはぜ部内に押し込む。これにより、はぜ部に係止部材と耳部を容易に押し込むことができる。はぜ部に押し込まれた係止部材は、ばね性により拡開し係止爪によりはぜ部の内面に係止される。係止部材は頂部が丸みを帯びていることで、耳部を破損することなくはぜ部に押し込むことができる。これにより、グラスウールマットの側部をはぜ部に簡単にかつ逸脱不能に固定することができる。
【手続補正８】
【補正対象書類名】明細書
【補正対象項目名】００１２
【補正方法】変更
【補正の内容】
【００１２】
本発明によると、断熱材としてグラスウールマットを使用しかつ折板屋根材の内側（裏側）にその形状に沿って密着させて取り付けることができるために小屋根（屋根裏）の断熱効果の大幅な向上が図られると共に折板屋根材の軽量化及び低コスト化が図られる。また、係止部材により折板屋根材の成形後内側にグラスウールマットを固定することができるために搬送性が向上すると共に施工現場での作業性（施工性）が向上する。また、折板屋根材の内側にグラスウールマットを密着させて取り付けることで見栄えが良い。
【手続補正９】
【補正対象書類名】明細書
【補正対象項目名】００１３
【補正方法】変更
【補正の内容】
【００１３】
また、グラスウールは、合成樹脂フィルムで形成された収納袋に収納されてマット状をなしていることで取り扱いが容易となり、かつ収納袋の両側部に形成された耳部を係止部材により折板屋根材のはぜ部に固定することで折板屋根材への取り付け作業が容易となる。
【手続補正１０】
【補正対象書類名】明細書
【補正対象項目名】００１４
【補正方法】変更
【補正の内容】
【００１４】
また、頂部が丸みを帯びた略Ｖ字形状をなし両側部に複数の係止爪が一体に形成されたばね性を有する薄板からなる係止部材を使用し、グラスウールマットの耳部をはぜ部に押し込むことで、耳部を破損することなくグラスウールマットを折板屋根材の内側に逸脱不能にかつ容易に固定することができ、作業性の向上が図られる。